(57)【特許請求の範囲】
【請求項１】
おむつの内側に装着する吸収パッドであって、
長手方向と、
前記長手方向に直交する幅方向と、
表面シートと、
裏面シートと、
前記表面シートと前記裏面シートとの間の吸収体と、を有し、
前記吸収パッドを２つ折りするための折り線が形成されており、
前記折り線は前記幅方向から斜めに傾斜しており、
前記吸収パッドが前記折り線で２つ折りされた状態で、前記長手方向における前記吸収パッドの一方の縁を規定する第１縁線は、前記長手方向における前記吸収パッドの他方の縁を規定する第２縁線と交差する、吸収パッド。
【請求項２】
前記裏面シートの非肌面に設けられ、前記おむつに係止する係止部を有し、
前記係止部は、前記折り線に関して一方の側に設けられた第１係止部と、前記折り線に関して他方の側に設けられた第２係止部と、を含み、
前記吸収パッドが２つ折りされた状態で、前記第１係止部と前記第２係止部は、互いに重複した位置にあり、かつ互いに部分的にずれている、請求項１に記載の吸収パッド。
【請求項３】
前記幅方向における前記吸収パッドの中心を挟んで両側に、前記吸収パッドの少なくとも一部を前記長手方向に収縮させる第１弾性部材及び第２弾性部材を有し、
前記吸収パッドを伸ばした状態において、前記第１弾性部材の伸長率は前記第２弾性部材の伸長率と異なる、請求項１又は２に記載の吸収パッド。
【請求項４】
前記第１弾性部材のうちの収縮に寄与する伸縮範囲の長さは、前記第２弾性部材のうちの収縮に寄与する伸縮範囲の長さと異なる、請求項３に記載の吸収パッド。
【請求項５】
前記第１弾性部材と前記第２弾性部材の少なくとも一方において、収縮に寄与する伸縮範囲から前記長手方向における前記吸収パッドの一方の縁までの距離は、前記伸縮範囲から前記長手方向における前記吸収パッドの他方の縁までの距離と異なる、請求項３又は４に記載の吸収パッド。
【請求項６】
前記幅方向における前記表面シートの両外側部を覆う第１サイドシート及び第２サイドシートと、
前記第１サイドシートに取り付けられた伸縮性の第１弾性部材と、
前記第２サイドシートに取り付けられた伸縮性の第２弾性部材と、を有し、
前記長手方向における前記第１サイドシート及び前記第２サイドシートの両端部は、接合領域において前記表面シートと接合されており、
前記幅方向における前記第１サイドシートの前記接合領域の長さは、前記幅方向における前記第２サイドシートの前記接合領域の長さと異なる、請求項１から５のいずれか１項に記載の吸収パッド。
【請求項７】
前記幅方向における前記表面シートの両外側部を覆う第１サイドシート及び第２サイドシートと、
前記第１サイドシートに取り付けられた伸縮性の第１弾性部材と、
前記第２サイドシートに取り付けられた伸縮性の第２弾性部材と、を有し、
前記長手方向における前記第１サイドシート及び前記第２サイドシートの両端部は、接合領域において前記表面シートと接合されており、
前記第１サイドシートと前記第２サイドシートの少なくとも一方において、前記長手方向の一端部における前記接合領域の前記長手方向の長さは、前記長手方向の他端部における前記接合領域の前記長手方向の長さと異なる、請求項１から６のいずれか１項に記載の吸収パッド。                                                                                         
【発明の詳細な説明】
【技術分野】
【０００１】
本発明は、おむつの内側に装着する吸収パッドに関する。
【背景技術】
【０００２】
おむつの内側に装着されて用いられる吸収パッドが知られている。特許文献１は、そのような吸収パッドを開示している。特許文献１に記載された吸収パッドは、透液性の表面シートと、不透液性の裏面シートと、表面シートと裏面シートとの間の吸収体と、を備える。
【先行技術文献】
【特許文献】
【０００３】
【特許文献１】特開２０１３−１３４３０号公報
【発明の概要】
【発明が解決しようとする課題】
【０００４】
吸収パッドの流通時及び販売時に、吸収パッドは、折り畳まれた状態で包装袋に収容されることがある。本願発明者は、おむつに装着する前に折り畳まれた吸収パッドを開くという手間を省くため、吸収パッドを２つ折りにすることを検討した。その結果、本願発明者は、以下のような課題が生じることを見出した。
【０００５】
すなわち、吸収パッドの長手方向における中心を通り、長手方向に直交する幅方向に沿った中心線で吸収パッドを２つに折ると、使用者は吸収パッドを開き難くなる。これは、２つ折りされた吸収パッドでは、長手方向における一端側の縁線と長手方向における他端側の縁線とが一致するからである。
【０００６】
特に、使用者は、股下へずらしたおむつを一方の手で掴みながら、折り畳まれた状態の吸収パッドをもう一方の手でおむつの内側へ装着しようとすることが多い。それから、使用者は、折り畳まれた状態の吸収パッドをおむつの内側で開き、吸収パッドをおむつに装着する。使用者はおむつを一方の手で掴んでいるため、折り畳まれた状態の吸収パッドを片手で開こうとする。このとき、２つ折りされた吸収パッドでは、長手方向における一端側の縁線と長手方向における他端側の縁線とが揃うので、使用者は吸収パッドを特に開き難くなる。
【０００７】
したがって、２つ折りされた吸収パッドを開き易くし、吸収パッドの装着を容易にすることが望まれる。
【課題を解決するための手段】
【０００８】
一態様に係る吸収パッドは、おむつの内側に装着する吸収パッドである。この吸収パッドは、長手方向と、前記長手方向に直交する幅方向と、表面シートと、裏面シートと、前記表面シートと前記裏面シートとの間の吸収体と、を有する。前記吸収パッドを２つ折りするための折り線が形成されている。前記折り線は前記幅方向から斜めに傾斜している。
【発明の効果】
【０００９】
上記態様によれば、２つ折りされた吸収パッドを開き易くし、吸収パッドをおむつに装着し易くすることができる。
【図面の簡単な説明】
【００１０】
【図１】図１は、一実施形態に係る吸収パッドの平面図である。
【図２】図２は、図１とは反対側から見た吸収パッドの平面図である。
【図３】図３は、図１のＦ３−Ｆ３線に沿った吸収パッドの断面図である。
【図４】図４は、一実施形態に係る吸収体の平面図である。
【図５】図５は、図４とは反対側から見た吸収体の平面図である。
【図６】図６は、２つ折りされた吸収パッドの平面図である。
【図７】図７は、２つ折りされて互いに重ねられた複数の吸収パッドを示す模式図である。
【図８】図８は、吸収パッドを装着するおむつの一例を示す斜視図である。
【図９】図９は、展開したおむつに装着された吸収パッドを示す平面図である。
【発明を実施するための形態】
【００１１】
本明細書及び添付図面の記載により、少なくとも以下の事項が明らかとなる。
【００１２】
おむつの内側に装着する吸収パッドであって、
長手方向と、
前記長手方向に直交する幅方向と、
表面シートと、
裏面シートと、
前記表面シートと前記裏面シートとの間の吸収体と、を有し、
前記吸収パッドを２つ折りするための折り線が形成されており、
前記折り線は前記幅方向から斜めに傾斜している、吸収パッド。
【００１３】
上記吸収パッドによれば、吸収パッドを２つ折りするための折り線が、長手方向と直交する幅方向から斜めに傾斜しているため、２つ折りされた吸収パッドの長手方向における一方側の領域の一部と長手方向における他方側の領域の一部とが互いにずれる。着用者は、この互いにずれた領域から吸収パッドを開くことにより、片手で容易に吸収パッドを開くことができる。
【００１４】
好ましい一態様によれば、前記吸収パッドが前記折り線で２つ折りされた状態で、前記長手方向における前記吸収パッドの一方の縁を規定する第１縁線は、前記長手方向における前記吸収パッドの他方の縁を規定する第２縁線と交差する。
【００１５】
２つ折りされた吸収パッドの第１縁線と第２縁線が交差するため、長手方向における吸収パッドの一端部のうちの一部が、長手方向における吸収パッドの他端部から延出し、かつ長手方向における吸収パッドの他端部のうちの一部が、長手方向における吸収パッドの一端部から延出する。これにより、使用者は、長手方向における吸収パッドの端部を片手で掴んだ状態から、片手で吸収パッドを容易に開くことができる。
【００１６】
好ましい一態様によれば、吸収パッドは、前記裏面シートの非肌面に設けられ、前記おむつに係止する係止部を有し、前記係止部は、前記折り線に関して一方の側に設けられた第１係止部と、前記折り線に関して他方の側に設けられた第２係止部と、を含み、前記吸収パッドが２つ折りされた状態で、前記第１係止部と前記第２係止部は、互いに重複した位置にあり、かつ互いに部分的にずれている。
【００１７】
包装袋に収容された状態で、２つ折りされた複数の吸収パッドは互いに重ねられることがある。このとき、吸収パッドの第１係止部が、隣接する吸収パッドの第２係止部に係合されてしまう。この場合、使用者が包装袋から１つの吸収パッドのみを取り出そうとしたとしても、それに隣接する吸収パッドが係合されているため、吸収パッドを取り出し難い。仮に、吸収パッドの第１係止部全体が隣接する吸収パッドの第２係止部全体にぴったりと係合していると、使用者は第１係止部と第２係止部との係合を解除し難く、吸収パッドを包装袋からより取り出し難くなる。上記態様では、吸収パッドの第１係止部と、隣接する吸収パッドの第２係止部とは、互いに部分的にずれているため、使用者は第１係止部と第２係止部との係合を解除し易く、吸収パッドを包装袋から取り出し易くなる。
【００１８】
好ましい一態様によれば、吸収パッドは、前記幅方向における前記吸収パッドの中心を挟んで両側に、前記吸収パッドの少なくとも一部を長手方向に収縮させる第１弾性部材及び第２弾性部材を有し、前記吸収パッドを伸ばした状態において、前記第１弾性部材の伸長率は前記第２弾性部材の伸長率と異なる。
【００１９】
吸収パッドの中心を挟んで両側に設けられた弾性部材の伸長率が異なるため、吸収パッドは、左右非対称に収縮しようとする。したがって、２つに折り畳まれた吸収パッドの第１縁線と第２縁線とは互いによりずれることになり、使用者は、片手でより容易に吸収パッドを開くことができる。
【００２０】
好ましい一態様によれば、前記第１弾性部材のうちの収縮に寄与する伸縮範囲の長さは、前記第２弾性部材のうちの収縮に寄与する伸縮範囲の長さと異なる。
【００２１】
吸収パッドを収縮させる収縮に寄与する伸縮範囲が、第１弾性部材と第２弾性部材とで異なる。これにより、吸収パッドは、左右非対称に収縮しようとする。したがって、２つに折り畳まれた吸収パッドの第１縁線と第２縁線とは互いによりずれることになり、使用者は、片手でより容易に吸収パッドを開くことができる。
【００２２】
好ましい一態様によれば、前記第１弾性部材と前記第２弾性部材の少なくとも一方において、収縮に寄与する伸縮範囲から前記長手方向における前記吸収パッドの一方の縁までの距離は、前記伸縮範囲から前記長手方向における前記吸収パッドの他方の縁までの距離と異なる。
【００２３】
本態様により、長手方向における吸収パッドの一方の縁付近の領域は、長手方向における吸収パッドの他方の縁付近の領域とは収縮の仕方が異なる。したがって、２つに折り畳まれた吸収パッドの第１縁線と第２縁線とは互いによりずれることになり、使用者は、片手でより容易に吸収パッドを開くことができる。
【００２４】
好ましい一態様によれば、吸収パッドは、前記幅方向における前記表面シートの両外側部を覆う第１サイドシート及び第２サイドシートと、前記第１サイドシートに取り付けられた伸縮性の第１弾性部材と、前記第２サイドシートに取り付けられた伸縮性の第２弾性部材と、を有し、前記長手方向における前記第１サイドシート及び前記第２サイドシートの両端部は、接合領域において前記表面シートと接合されており、前記幅方向における前記第１サイドシートの前記接合領域の長さは、前記幅方向における前記第２サイドシートの前記接合領域の長さと異なる。
【００２５】
本態様により、第１サイドシートと第２サイドシートの接合領域では、第１弾性部材と第２弾性部材による収縮作用が低下する。したがって、幅方向における第１サイドシートの接合領域の長さが幅方向における第２サイドシートの接合領域の長さと異なると、吸収パッドは、接合領域の縁付近で非対称に収縮しようとする。これにより、２つに折り畳まれた吸収パッドの第１縁線と第２縁線とは互いによりずれることになり、使用者は、片手でより容易に吸収パッドを開くことができる。
【００２６】
好ましい一態様によれば、吸収パッドは、前記幅方向における前記表面シートの両外側部を覆う第１サイドシート及び第２サイドシートと、前記第１サイドシートに取り付けられた伸縮性の第１弾性部材と、前記第２サイドシートに取り付けられた伸縮性の第２弾性部材と、を有し、前記長手方向における前記第１サイドシート及び前記第２サイドシートの両端部は、接合領域において前記表面シートと接合されており、前記第１サイドシートと前記第２サイドシートの少なくとも一方において、前記長手方向の一端部における前記接合領域の前記長手方向の長さは、前記長手方向の他端部における前記接合領域の前記長手方向の長さと異なる。
【００２７】
本態様により、第１サイドシートと第２サイドシートの接合領域では、第１弾性部材と第２弾性部材による収縮作用が低下する。本態様により、長手方向における吸収パッドの一方の縁付近の接合領域は、長手方向における吸収パッドの他方の縁付近の接合領域とは収縮の仕方が異なる。したがって、２つに折り畳まれた吸収パッドの第１縁線と第２縁線とは互いによりずれることになり、使用者は、片手でより容易に吸収パッドを開くことができる。
【００２８】
以下、図面を参照して、一実施形態に係る吸収パッドの詳細について説明する。本発明の吸収パッドは、例えば、使い捨ておむつの内側に装着する吸収パッドに関する。使い捨ておむつは、大人用のおむつであってよい。
【００２９】
なお、以下の図面の記載において、同一又は類似の部分には、同一又は類似の符号を付している。ただし、図面は模式的なものであり、各寸法の比率等は現実のものとは異なることがあることに留意すべきである。したがって、具体的な寸法等は、以下の説明を参酌して判断すべきである。また、図面相互間においても互いの寸法の関係や比率が異なる部分が含まれ得る。
【００３０】
（１）吸収パッドの構成
図１は、一実施形態に係る吸収パッドの平面図である。図１は、伸長させた状態の吸収パッドを示している。図２は、図１とは反対側から見た吸収パッドの平面図である。図３は、図１のＦ３−Ｆ３線に沿った吸収パッドの断面図である。図４は、着用者の肌に対向する肌面側から見た、吸収パッドに備えられた吸収体の平面図である。図５は、図４とは反対側から見た吸収体の平面図である。
【００３１】
吸収パッド１０は、長手方向Ｌ及び幅方向Ｗを有する。長手方向Ｌは、着用者の前側（腹側）から後側（背側）に延びる方向、又は着用者の後側から前側に延びる方向である。幅方向Ｗは、長手方向Ｌと直交する方向である。以下、使用時に着用者の肌に面する側を、「肌面側」と呼ぶことがある。また、使用時に着用者の肌とは反対に向けられる側を、「非肌面側」と呼ぶことがある。
【００３２】
吸収パッド１０は、表面シート２０、裏面シート２２及び吸収体３０を有する。表面シート２０は、吸収パッド１０の着用時に、着用者の肌に面する。表面シート２０は吸収体３０を覆っている。表面シート２０は、液透過性のシートから構成されていてよい。
【００３３】
裏面シート２２は、吸収パッド１０の着用時に、着用者の肌とは反対側へ向けられ、使い捨ておむつに面する。裏面シート２２は、液不透過性のシートから構成されていてよい。
【００３４】
吸収体３０は、表面シート２０と裏面シート２２との間に設けられる。吸収体３０は、吸収材料からなる吸収コア３２を含む。吸収コア３２を構成する吸収材料は、例えば、親水性繊維、パルプ及び高吸水性高分子（ＳＡＰ）から形成できる。吸収体３０は、吸収コア３２を包むコアラップ３４を有する。コアラップ３４は、例えば不織布又はティッシュシートから構成することができる。
【００３５】
吸収コア３２は単層構造であることが好ましい。言い換えると、吸収パッド１０を伸長させた状態及び吸収パッド１０の自然状態において、各領域の吸収コア３２は、厚み方向において互いに重なることなく配置されている。これにより、吸収体３０の厚みを抑制することができる。特に、吸収パッド１０は、使用時におむつに装着されるため、履き心地の観点からできるだけ薄いことが好ましい。
【００３６】
吸収パッド１０は、裏面シート２２の非肌面側に、おむつに係止する係止部９０を有する。図１では、係止部９０が点線によって透視的に示されている。係止部９０は、おむつの肌面側の表面に係止可能な部材であればよい。例えば、係止部９０は、不織布に係合可能なフックを有するメカニカルテープであってよい。
【００３７】
幅方向Ｗにおける係止部９０の両端部は、シート、ここではサイドシート５０によって覆われている。これにより、係止部９０の角が露出しないので、使用者の指に係止部９０がひっかかる虞が低減される。これにより、使用者の指を傷つけることなく、吸収パッド１０をおむつに装着することができる。
【００３８】
吸収パッド１０には、吸収パッド１０を２つ折りするための折り線Ｆが形成されている。折り線Ｆは幅方向Ｗから斜めに傾斜している。幅方向Ｗに対する折り線Ｆの角度は例えば４５°以下、好ましくは１０°以下であってよい。本実施形態では、折り線Ｆは１つである。また、折り線Ｆは、長手方向Ｌにおける中心を通り、幅方向Ｗに延びた中心線ＣＬと交差していることが好ましい。
【００３９】
吸収パッド１０を２つ折りするための折り線Ｆが、長手方向Ｌと直交する幅方向Ｗから斜めに傾斜しているため、２つ折りされた吸収パッド１０の長手方向Ｌにおける一方側の領域の一部と長手方向における他方側の領域の一部とが互いにずれる（図６参照）。着用者は、この互いにずれた領域から吸収パッド１０を開くことにより、片手で容易に吸収パッドを開くことができる。
【００４０】
図６に示すように、吸収パッド１０が折り線Ｆで２つ折りされた状態で、長手方向Ｆにおける吸収パッド１０の一方の縁を規定する第１縁線Ｅ１は、長手方向における吸収パッド１０の他方の縁を規定する第２縁線Ｅ２と交差することが好ましい。２つ折りされた吸収パッド１０の第１縁線Ｅ１と第２縁線Ｅ２が互いに交差するため、長手方向Ｌにおける吸収パッド１０の一端部のうちの一部Ｅ１ａが、長手方向Ｌにおける吸収パッド１０の他端部から延出し、かつ長手方向Ｌにおける吸収パッドの他端部のうちの一部Ｅ２ａが、長手方向Ｌにおける吸収パッドの一端部から延出する。これにより、使用者は、長手方向における吸収パッドの端部を片手で掴んだ状態から、片手で吸収パッドを容易に開くことができる。
【００４１】
吸収パッド１０は、サイドシート５０及び弾性部材５２を有していてもよい。サイドシート５０は、裏面シート２２の非肌面側から、吸収パッド１０の幅方向Ｗの外側縁を通って、表面シート２０側へ延びている。幅方向Ｗにおけるサイドシート５０の内側部は、表面シート２０側で折り返されている。これにより、サイドシート５０は弾性部材５２を包んでいる。
【００４２】
弾性部材５２は、長手方向Ｌに伸長した状態でサイドシート５０に取り付けられる。弾性部材５２は外力が働いていない状態で収縮した状態になり、これによって、サイドシート５０の表面シート２０側に、起立性のギャザーが構成される。この起立性のギャザーによって液体の横漏れを抑制することができる。
【００４３】
幅方向Ｗにおけるサイドシート５０の内側部は、長手方向Ｌにおける両端部の接合領域で表面シート２０と接合されている。すなわち、サイドシート５０は、接合領域では表面シート２０から起立不能となっている。
【００４４】
弾性部材５２は、幅方向Ｗにおける吸収パッド１０の中心を挟んで一方の側に配置された伸縮性の第１弾性部材５２ａと、幅方向Ｗにおける吸収パッド１０の中心を挟んで他方の側に配置された伸縮性の第２弾性部材５２ｂと、を含む。第１弾性部材５２ａは第１サイドシート５０ａに取り付けられている。第２弾性部材５２ｂは第２サイドシート５０ｂに取り付けられている。第１弾性部材５２ａ及び第１弾性部材５２ｂは、吸収パッド１０の少なくとも一部を長手方向Ｌに収縮させる。
【００４５】
吸収パッド１０を伸ばした状態において、第１弾性部材５２ａの伸長率は第２弾性部材５２ｂの伸長率と異なる。すなわち、第１弾性部材５２ａと第２弾性部材５２ｂは、互いに異なる伸長率に引き延ばされた状態で、サイドシート５０に接合されている。
【００４６】
第１弾性部材５２ａと第２弾性部材５２ｂの伸長率が異なるため、吸収パッド１０は、左右非対称に収縮しようとする。したがって、２つに折り畳まれた吸収パッド１０の第１縁線Ｅ１と第２縁線Ｅ２とは互いによりずれることになる。よって、使用者は、２つに折り畳まれた吸収パッド１０を、片手でより容易に開くことができる。
【００４７】
ここで、本明細書では、弾性部材の「伸長率」は、以下のように定義される。
伸長率＝（伸長状態の弾性部材の長さ）÷（自然状態の弾性部材の長さ）
ここで、「伸長状態」は、吸収パッドを収縮により生じた皺がなくなるまで伸張した状態（図１及び２に示す状態）を意味する。
【００４８】
なお、本明細書において、かかる伸長率は、例えば、次のように測定されるものとする。第１に、吸収パッド１０に設けられた弾性部材の配置領域を切り出す。切り出した後の弾性部材の配置領域（サンプル）の伸長率を測定する。
【００４９】
切り出した各サンプルについて、２０℃±２℃、相対湿度６０％±５％ＲＨの雰囲気下において６０分間放置し、伸縮方向に沿ってサンプルの長さを測定する。この長さを、「自然状態の弾性部材の長さ」とする。
【００５０】
第２に、かかる状態（すなわち、自然状態）における所望領域の伸縮方向における長さ、及び、自然状態から弾性部材による皺がサイドシート上に目視にて確認できない状態まで延伸した時の所望領域の伸縮方向における弾性部材の長さを測定する。この長さを、「伸長状態における弾性部材の長さ」とする。
【００５１】
これら測定結果を用い、上述の式にて弾性部材の伸長率が算出される。なお、伸張率が「１」のとき、弾性部材が自然状態であることを意味する。
【００５２】
第１弾性部材５２ａのうちの収縮に寄与する伸縮範囲５２ａＬの長さは、前記第２弾性部材５２ｂのうちの収縮に寄与する伸縮範囲５２ｂＬの長さと異なることが好ましい。ここで、本明細書において弾性部材の「伸縮範囲」は、弾性部材がシート（ここではサイドシート５０）に接合されている領域の範囲によって定義される。言い換えると、弾性部材の伸縮範囲は、シートに接合されていない端部領域を除外した範囲によって定義される。この伸縮範囲は、弾性部材の収縮により、吸収パッド１０の一部の領域を収縮させる作用を有する。
【００５３】
吸収パッド１０を収縮させる収縮に寄与する伸縮範囲５２ａＬ，５２ｂＬが、第１弾性部材５２ａと第２弾性部材５２ｂとで異なる。これにより、吸収パッド１０は、左右非対称に収縮しようとする。したがって、２つに折り畳まれた吸収パッド１０の第１縁線Ｅ１と第２縁線Ｅ２とは互いによりずれることになり、使用者は、片手でより容易に吸収パッドを開くことができる。
【００５４】
第１弾性部材５２ａと第２弾性部材５２ｂの少なくとも一方において、収縮に寄与する伸縮範囲５２ａＬ，５２ｂＬから長手方向Ｌにおける吸収パッドの一方の縁Ｅ１までの距離Ｌ１ａ，Ｌ１ｂは、それぞれの伸縮範囲５２ａＬ，５２ｂＬから長手方向Ｌにおける吸収パッドの他方の縁Ｅ２までの距離Ｌ２ａ，Ｌ２ｂと異なることが好ましい。すなわち、距離Ｌ１ａが距離Ｌ２ａと異なることが好ましく、距離Ｌ１ｂが距離Ｌ２ｂと異なることが好ましい。これにより、長手方向Ｌにおける吸収パッド１０の一方の縁Ｅ１付近の領域は、長手方向Ｌにおける吸収パッド１０の他方の縁Ｅ２付近の領域とは収縮の仕方が異なる。したがって、２つに折り畳まれた吸収パッド１０の第１縁線Ｅ１と第２縁線Ｅ２とは互いによりずれることになり、使用者は、片手でより容易に吸収パッドを開くことができる。
【００５５】
第１サイドシート５０ａの長手方向Ｌにおける両端部は、吸収体３０よりも肌面側で、例えばホットメルト接着剤により表面シート２０と接合されている（接合領域ＢＲａ１及びＢＲａ２）。また、第２サイドシート５０ｂの長手方向Ｌにおける両端部は、吸収体３０よりも肌面側で、例えばホットメルト接着剤により表面シート２０と接合されている（接合領域ＢＲｂ１及びＢＲｂ２）。
【００５６】
幅方向Ｗにおける第１サイドシート５０ａの接合領域ＢＲａ１，ＢＲａ２の長さＷａは、幅方向Ｗにおける第２サイドシート５０ｂの接合領域ＢＲｂ１，ＢＲｂ２の長さＷｂと異なる。第１サイドシート５０ａと第２サイドシート５０ｂの接合領域では、第１弾性部材５２ａと第２弾性部材５２ｂによる収縮作用が低下する。したがって、幅方向Ｗにおける第１サイドシート５０ａの接合領域ＢＲａ１，ＢＲａ２の長さＷａが幅方向Ｗにおける第２サイドシート５０ｂの接合領域ＢＲｂ１，ＢＲｂ２の長さＷｂと異なると、吸収パッドは、接合領域の縁付近で非対称に収縮しようとする。これにより、２つに折り畳まれた吸収パッドの第１縁線Ｅ１と第２縁線Ｅ２とは互いによりずれることになり、使用者は、片手でより容易に吸収パッドを開くことができる。
【００５７】
第１サイドシート５０ａと第２サイドシート５０ｂの少なくとも一方において、長手方向Ｌの一端部における接合領域ＢＲａ１，ＢＲｂ１の長手方向の長さＬ１ａ，Ｌ１ｂは、長手方向Ｌの他端部における接合領域ＢＲａ２，ＢＲｂ２の長手方向の長とＬ２ａ，Ｌ２ｂ異なる。これにより、第１サイドシート５０ａと第２サイドシート５０ｂの接合領域では、第１弾性部材５２ａと第２弾性部材５２ｂによる収縮作用が低下する。本態様により、長手方向における吸収パッドの一方の縁Ｅ１付近の領域は、長手方向における吸収パッドの他方の縁Ｅ２付近の領域とは収縮の仕方が異なる。したがって、２つに折り畳まれた吸収パッド１０の第１縁線Ｅ１と第２縁線Ｅ２とは互いによりずれることになり、使用者は、片手でより容易に吸収パッドを開くことができる。
【００５８】
係止部９０は、折り線Ｆに関して一方の側に設けられた第１係止部９０ａと、折り線Ｆに関して他方の側に設けられた第２係止部９０ｂと、を含む。吸収パッド１０が２つ折りされた状態で、第１係止部９０ａと第２係止部９０ｂは、互いに重複した位置にあり、かつ互いに部分的にずれていることが好ましい（図６参照）。
【００５９】
図７に示すように、包装袋に収容された状態で、２つ折りされた複数の吸収パッド１０は互いに重ねられることがある。このとき、吸収パッド１０の第１係止部９０ａが、隣接する吸収パッド１０の第２係止部９０ｂに係合されてしまう。この場合、使用者が包装袋から１つの吸収パッド１０のみを取り出そうとしたとしても、それに隣接する吸収パッド１０に係合されているため、１つの吸収パッド１０のみを取り出し難い。仮に、吸収パッド１０の第１係止部９０ａ全体が隣接する吸収パッドの第２係止部９０ｂ全体にぴったりと係合していると、使用者は第１係止部９０ａと第２係止部９０ｂとの係合を解除し難く、１つの吸収パッド１０のみを包装袋からより取り出し難くなる。上記態様では、吸収パッド１０の第１係止部９０ａと、それに隣接する吸収パッドの第２係止部９０ｂとは、互いに部分的にずれているため、使用者は第１係止部９０ａと第２係止部９０ｂとの係合を解除し易く、１つの吸収パッド１０のみを包装袋から取り出し易くなる。
【００６０】
吸収パッド１０の非肌面側の最表面のシートは、係止部９０ａ，９０ｂに係合しない、又はほとんど係合しない部材から構成されていることが好ましい。この場合、１つの吸収パッド１０のみを包装袋からより取り出し易くなる。
【００６１】
図４及び図５に示すように、吸収体３０は、中央領域Ｃ及び周縁領域Ｐを有する。中央領域Ｃは、吸収体３０の中心を含み、吸収体３０の縁を含まない領域である。吸収パッドの着用時に、中央領域Ｃは着用者の股下に位置する。周縁領域Ｐは、中央領域Ｃを取り囲む領域であり、吸収体３０の縁を含んでいる。
【００６２】
中央領域Ｃは、第１中央域Ｃ１と、長手方向Ｌにおける第１中央域Ｃ１の前後に配置された第２中央域Ｃ２と、を有する。第２中央域Ｃ２は、第１中央域Ｃ１及び周縁領域Ｐよりも低い剛性を有することが好ましい。
【００６３】
周縁領域Ｐにおける吸収体３０の剛性を高めるため、周縁領域Ｐにおける吸収体３０に、第２圧搾溝４６が形成されていることが好ましい。第２圧搾溝４６は、周縁領域Ｐにおいて全体的に設けられていてよい。本実施形態では、第２圧搾溝４６は、吸収体３０の非肌面側に格子状に形成されている。より具体的には、第２圧搾溝４６は、第１の方向と、第１の方向に交差する第２の方向と、に沿って、直線状に形成されていてよい。第１の方向及び第２の方向は、長手方向Ｌに対して傾斜した方向である。
【００６４】
第２圧搾溝４６によって、周縁領域Ｐ及び第１中央域Ｃ１の剛性を第２中央域Ｃ２の剛性よりも高めることができる。また、第２圧搾溝４６が格子状に形成されていることで、第２圧搾溝４６が曲がり基点となり、着用者の動作に合わせて吸収パッドが変形し易くなる。これにより、動作中もフィットし易い吸収パッドを提供することができる。
【００６５】
第２圧搾溝４６は、長手方向Ｌから傾斜した方向に連続的に延びていることが好ましい。長手方向Ｌから傾斜した方向に連続的に延びる格子状の第２圧搾溝４６によって、斜め方向に沿った曲がり基点が生じる。これにより、着用者の脚の動きによって吸収体がねじれたとしても、吸収パッドが身体に追従しやすくなる。その結果、着用者の動作中にも吸収パッドをより身体にフィットさせ易くすることができる。
【００６６】
第２圧搾溝４６は、吸収体３０の非肌面側に施されている。これにより、吸収体３０の肌面側の一面がなるべく平坦になり、着用者に心地よい吸収パッドを提供することができる。また、より心地よい吸収パッドを提供するため、吸収体３０の肌面側には、圧搾溝が施されていないことが好ましい。
【００６７】
吸収体３０は、第１圧搾溝４０及び一対の低坪量領域４２を有する。第１圧搾溝４０は、中央領域Ｃにおいて、吸収体３０の非肌面側に施されている。第１圧搾溝４０は、幅方向Ｗの中央で、長手方向Ｌに延びている。長手方向Ｌにおける第１圧搾溝４０の長さは、長手方向Ｌにおける一対の低坪量領域４２の長さより短くてよい。
【００６８】
一対の低坪量領域４２は、長手方向Ｌに沿って延びている。一対の低坪量領域４２は、中央領域Ｃに対して幅方向Ｗに隣接する周縁領域Ｐと中央領域Ｃとの境界に設けられている。
【００６９】
低坪量領域４２は、中央領域Ｃ及び周縁領域Ｐにおける吸収コア３２の坪量（目付）よりも低い坪量の吸収コアからなる領域、又は実質的に吸収コアを含まない領域によって定義される。低坪量領域４２は、０〜２００ｇ／ｍ２の坪量の吸収コアを含む領域であってよい。低坪量領域４２は、好ましくは１５０ｇ／ｍ２以下、より好ましくは１００ｇ／ｍ２以下の坪量の吸収コアを含む領域である。
低坪量領域４２は、吸収パッド１０の剛性が変化する境目となる。したがって、低坪量領域４２は、吸収パッド１０が変形し易い領域に相当する。
【００７０】
低坪量領域４２は実質的に吸収材料を含まない領域であってもよい。すなわち、低坪量領域４２は、吸収コア３２の坪量が零の領域を含む概念である。ここで、実質的に吸収コアを含まない領域は、吸収コア３２を構成する吸収材料を設計上含まない領域を意味している。言い換えると、実質的に吸収コアを含まない領域は、製造時に微量の吸収材料が混入した領域を含む概念であり、低坪量領域４２に隣接する第２中央域Ｃ２の坪量の５％以下の吸収材料を含んでいてもよい概念として定義される。
【００７１】
低坪量領域４２は実質的に吸収材料を含まない領域である場合、低坪量領域４２とそのまわりの領域との間の厚みの差が大きくなり、低坪量領域４２が曲がり基点になり易い。したがって、幅方向Ｗの外側から内側へ力がかかったときに、吸収パッド１０及び吸収体３０が低坪量領域４２のところで変形し易くなる。したがって、吸収パッド１０が幅方向Ｗに沿った断面視でＷ型に変形し易く、着用者の体にフィットし易い。
【００７２】
吸収コア３２は、好ましくは、低坪量領域４２が設けられた長手方向Ｌの範囲内において、幅方向Ｗにおける吸収パッド１０の縁まで延びている。吸収コア３２が存在する領域は、吸収パッド１０のなかで比較的剛性が高い領域である。すなわち、比較的剛性の高い領域が、吸収パッド１０の幅方向Ｗの縁部まで延びている。これにより、吸収パッド１０の幅方向Ｗの縁部から幅方向内側へ向いた力が加えられたとき、その力が効率的に、一対の低坪量領域４２や中央領域Ｃに伝わる。これにより、吸収パッド１０は、後述するように、使用時に着用者の体にフィットするようにより変形し易くなる。
【００７３】
なお、本実施形態において、吸収コア３２は、少なくとも低坪量領域４２が設けられた長手方向Ｌの範囲内において、長手方向Ｌに沿った直線状の外形線を有している。
【００７４】
折り線Ｆと幅方向Ｗとがなす角度は、長手方向Ｌから傾斜した方向に連続的に延びる第２圧搾溝４６と幅方向Ｗとがなす角度より小さいことが好ましい。
【００７５】
（２）吸収パッドが装着される使い捨ておむつ
図８は、吸収パッドを装着するおむつの一例を示す斜視図である。図９は、展開したおむつに装着した吸収パッドを示す平面図である。図９は、伸長させた状態の吸収パッド及びおむつを示している。使い捨ておむつは、例えば大人用のおむつであってよい。
【００７６】
使い捨ておむつ１は、一例としてパンツタイプの構造を有していてよい。使い捨ておむつ１は、着用者の胴回りに当てられる胴回り領域と、着用者の股下に当てられる股下域と、を有する。前胴回り領域の幅方向Ｗ外側に位置する胴回り縁部４，４’が、後胴回り領域Ｓ２の横方向Ｗの外側に位置する後胴回り縁部６，６’とそれぞれ接合されることによって、使い捨ておむつ１がパンツ型に形成される。使い捨ておむつ１は、パンツ型に形成された状態で、着用者の脚回りを囲む一対の脚回り開口部９を有する。股下域は、一対の脚回り開口部９間の領域である。
【００７７】
使い捨ておむつ１は、吸収性本体１Ａを含む。吸収性本体１Ａは、表面シート、裏面シート、及び表面シートと裏面シートとの間の吸収体１３０を含んでいてよい。吸収体１３０は、少なくとも股下域に設けられている。吸収体１３０は、粉砕パルプや高吸収性ポリマーなどの混合粉体で形成されていてよい。
【００７８】
上述した吸収パッド１０は、使い捨ておむつ１の股下域に装着される。着用者が排泄を行った後、吸収パッド１０のみを取り換えることができる。これにより、使い捨ておむつを長期に使用することができる。
【００７９】
幅方向Ｗにおける吸収パッド１０の幅Ｗ４は、おむつの股下域に配置された吸収体１３０の幅方向Ｗにおける最小幅Ｗ５よりも大きいことが好ましい。これにより、吸収パッド１０がおむつに装着されたとき、吸収パッド１０の幅方向Ｗ外側の両端部が、股下域において、おむつの吸収体１３０の幅方向Ｗの外側へはみ出す。着用者の両脚の間に挟まれることによって着用者の脚から幅方向Ｗの内側へ横から受けた力は、おむつの股下域に配置された吸収体１３０よりも先に吸収パッド１０に伝わる。そのため、吸収パッド１０の変形が促進され、吸収パッド１０が体にフィットするので、吸収パッド１０とおむつを重ねて着用していても着用者に違和感を与えにくい。
【００８０】
また、股下域において、おむつ１の吸収体１３０よりも幅が広い領域まで吸収パッド１０が存在することになるので、液体がおむつ１にまで漏れ難くなる。これにより、おむつを交換することなく、吸収パッド１０のみを何度も交換すればよいという利点がある。
【００８１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【符号の説明】
【００８２】
１０      吸収パッド
２０      表面シート
２２      裏面シート
３０      吸収体
３２      吸収コア
９０，９０ａ，９０ｂ      係止部
Ｆ        折り線
Ｌ        長手方向
Ｗ        横方向
【図１】
0006383751.tif 000002
【図２】
0006383751.tif 000003
【図３】
0006383751.tif 000004
【図４】
0006383751.tif 000005
【図５】
0006383751.tif 000006
【図６】
0006383751.tif 000007
【図７】
0006383751.tif 000008
【図８】
0006383751.tif 000009
【図９】
0006383751.tif 000010